(57)【要約】【課題】インターネット上のリスティング広告などキーワードを基準にした広告ではなく、活動を基準とした広告ができるようにすることによって、活動管理者に対して、広告依頼者の、活動に関する商品を告知する機会を上げる。【解決手段】メインプログラムは、広告依頼者がデータベースに登録した、活動タイプ別の広告情報および広告対象物購入情報を、活動管理者に表示および通知する手段を備え、基本制御手段は、その手段に従って制御を行う。【選択図】図２
2017151628.tif 000002
【特許請求の範囲】
【請求項１】
コンピュータシステムにより広告情報の供給を行う広告情報の供給方法において、
広告依頼者に対しては、
広告情報および広告対象物購入情報の入力を促す一方、予め記憶された活動タイプ情報に基づいて活動タイプを表示して、広告に対応する活動タイプの選択を促す段階と、選択された活動タイプの活動タイプ情報を、入力された広告情報および広告対象物購入情報、および、予め記憶された広告依頼者情報と関連付けて逐一記憶する段階を備える一方、
活動を管理する者であり広告受給者 (以降、活動管理者)に対しては、
活動情報の入力を促す一方、前記活動タイプ情報に基づく活動タイプを表示して、活動に対応する活動タイプの選択を促す段階と、
選択された活動タイプの活動タイプ情報に関連づけられた前記広告情報および広告対象物購入情報を読み出す段階と、読みだされた広告情報および広告対象物購入情報を、活動管理者に対して出力し、広告対象物の購入の選択を促す段階と、
購入の選択がされた広告対象物の広告情報、および、選択された活動タイプ情報を、入力された活動情報、および、予め記憶された活動管理者情報と関連付けて逐一記憶する段階、
購入の選択がされた広告対象物の広告対象物購入情報を、前記活動管理者情報にあるメールアドレスに通知する段階を備える一方、
活動管理者においては、
前記活動管理者が登録した活動の活動情報に関連づけられた活動タイプ情報に関連づけられた広告情報および広告対象物購入情報を読み出す段階と、読みだされた広告情報および広告対象物購入情報を、活動管理者に対して出力し、広告対象物の購入の選択を促す段階と、
購入の選択がされた広告対象物の広告対象物購入情報を、前記活動管理者情報にあるメールアドレスに通知する段階を備えることを特徴とする広告情報の供給方法。
【発明の詳細な説明】
【技術分野】
【０００１】
本発明は、コンピュータシステムを用いた広告情報の供給方法に関わり、特に、活動に関する商品を告知する機会を上げることを可能にする広告の供給方法、およびそのための登録方法に関する。
【背景技術】
【０００２】
従来より、タスク管理システム、スケジュール管理システムなどのように、インターネット上で活動情報を記録することや、活動状況を確認できるコンピュータシステム（以降、活動管理システムと呼ぶ）はあった。
また、活動管理システムで管理される活動に関する商品をインターネット上で広告する方法としては、検索エンジンの検索結果ページに掲載されるリスティング広告がよく知られている。
従って、活動管理者がインターネット上の検索エンジンで、活動に関する商品の情報を調べる場合、リスティング広告によって商品を知る機会はある。
【発明の概要】
【発明が解決しようとする課題】
【０００３】
しかし、リスティング広告は検索のキーワードを基準にした広告なので、活動に関するキーワードで検索したとしても、活動に関する商品以外の広告のみがヒットするとは限らない。その場合、活動管理者に対して活動に関する商品を告知できる機会は、全広告の中の一部分に限られる。
【０００４】
本発明は、上述した問題を鑑みてなされたもので、活動管理システムで管理される活動を基準にした広告の供給方法、およびそのための登録方法を提供することにより、活動管理者に対して活動に関する商品を告知する機会を上げることを目的としたものである。
【課題を解決するための手段】
【０００５】
上述した問題を解決するために、請求項１に記載の発明にあっては、コンピュータシステムにより広告情報の供給を行う広告情報の供給方法において、広告依頼者に対しては、広告情報および広告対象物購入情報の入力を促す一方、予め記憶された活動タイプ情報に基づいて活動タイプを表示して、広告に対応する活動タイプの選択を促す段階と、選択された活動タイプの活動タイプ情報を、入力された広告情報および広告対象物購入情報、および、予め記憶された広告依頼者情報と関連付けて逐一記憶する段階を備える一方、活動を管理する者であり広告受給者 (以降、活動管理者)に対しては、活動情報の入力を促す一方、前記活動タイプ情報に基づく活動タイプを表示して、活動に対応する活動タイプの選択を促す段階と、選択された活動タイプの活動タイプ情報に関連づけられた前記広告情報および広告対象物購入情報を読み出す段階と、読みだされた広告情報および広告対象物購入情報を、活動管理者に対して出力し、広告対象物の購入の選択を促す段階と、購入の選択がされた広告対象物の広告情報、および、選択された活動タイプ情報を、入力された活動情報、および、予め記憶された活動管理者情報と関連付けて逐一記憶する段階、購入の選択がされた広告対象物の広告対象物購入情報を、前記活動管理者情報にあるメールアドレスに通知する段階を備える一方、活動管理者においては、前記活動管理者の活動管理者情報に関連づけられた活動情報に関連づけられた活動タイプ情報に関連づけられた前記広告情報および広告対象物購入情報の表示を促す段階と、前記広告情報および広告対象物購入情報を読み出す段階と、読みだされた広告情報および広告対象物購入情報を、活動管理者に対して出力し、広告対象物の購入の選択を促す段階と、購入の選択がされた広告対象物の広告対象物購入情報を、前記活動管理者情報にあるメールアドレスに通知する段階を備えることを特徴とする。これらの手段は、活動管理システムで管理される活動を基準にした広告の供給方法、およびそのための登録方法を提供するものであり、結果的に、活動管理者に対して活動に関する商品を告知する機会を上げることなる。
【発明の効果】
【０００６】
本発明によれば、活動管理者に対して活動に関する商品を告知する機会を上げるだけでなく、商品の広告宣伝から使用まで含めた活動管理や、活動管理者の活動タイプの傾向や属性別の購買度合の分析をすることが可能となる。
【発明を実施するための最良の形態】
【０００７】
まず、本発明の位置付けについて説明する。広告とは、 ある者がその者の商品に関し、その消費者に成り得る者に対して宣伝を行なうことであるが、その広告情報の提供は、第三者を介して行なわれることもある。本発明は、このような「第三者」に相当する部分である。従って、広告情報を提供する者、すなわち 広告をしたい者を「広告依頼者」とし、本発明を介して広告を受ける者を「広告受給者」とし、活動を管理する「広告受給者」を「活動管理者」としている。
【０００８】
１．全体構成
以下、本発明における一実施形態について図面を参照して説明する。図１は、本実施形態の構成を示すブロック図である。この図において、符号１０はサーバであり、 経路制御装置、通信回線を経由してインターネットに接続されている。符号１０１、１０２、１０３などは各種の端末であり、サーバ１０と同様にしてインターネットに接続される。ここで、端末１０１、１０２、１０３などは、それぞれＣＲＴやＬＣＤ等の表示部とともに、キー ボード、マウス等の入力部を有する。
【０００９】
２．サーバの構成
次に、サーバ１０の詳細構成について説明する。図２は、サーバ１０の構成を示すブロック図である。この図において、符号１１は基本制御手段であり、ＣＰＵや制御装置などから構成され、各部の制御や、データの転送、種々の演算、データの一時的な格納などを行なう。符号１２は入力制御手段であり、インターネットを介して接続された端末から入力されるデータを制御する。符号１３は出力制御手段であり、端末に出力されるデータを制御する。符号１４、１５はいずれも記憶手段であり、記憶手段１４には、メインプログラムが記憶されており、記憶手段１５は、本発明に関連する広告情報、広告対象物購入情報、広告依頼者情報、活動タイプ情報、活動情報、活動管理者情報が記憶されたデータベースである。
【００１０】
３．データベースの構成
次に、記憶手段１５のデータベースの詳細構成について説明する。図３は、記憶手段１５のデータベースに格納されている各種情報の関連を示す図である。広告依頼者情報に関連した広告情報は、活動タイプ情報、活動情報に関連づけられて記憶される。広告依頼者情報に関連した広告対象物購入情報は、活動タイプ情報に関連づけられて記憶される。広告対象物購入情報とは、広告対象を購入できるWebサイトの情報など広告対象を購入するために必要な諸々の情報のことを指す。活動管理者情報に関連した活動情報は、活動タイプ情報に関連づけられて記憶される。
【００１１】
４．動作の説明
次に、本実施形態の動作について説明する。ここで、端末１０１、１０２、１０３などは、それぞれサーバ１０と接続されて通信を行ない、いずれも広告依頼者の端末としても、活動管理者の端末としても機能するが、説明の便宜上、サーバ１０には端末１０１が接続されたとして説明を行なう。サーバ１０に端末１０１が接続される と、基本制御手段１１は、この接続を、入力制御手段１２を介して検知し、メインプログラムにしたがって端末１０１ を制御する。図４は、本発明である活動基準広告システムが、そのユーザとなる広告依頼者や活動管理者に対して提供する機能を示している。それらの機能の動作の詳細を示した図が図５、図６、図７であり、メインプログラムの動作となる。
【００１２】
まず、図４の「広告情報および広告対象物購入情報の登録」機能の詳細について説明する。図５は「広告情報および広告対象物購入情報の登録」機能の動作の詳細を示したフローチャートである。本フローチャートは、請求項１に記載された、広告依頼者に対して広告情報および広告対象物購入情報の入力を促す一方、予め記憶された活動タイプ情報に基づいて活動タイプを表示して、広告に対応する活動タイプの選択を促す段階、選択された活動タイプの活動タイプ情報を、入力された広告情報および広告対象物購入情報、および、予め記憶された広告依頼者情報と関連付けて逐一記憶する段階に対応する動作を表す。始めに、本発明である活動基準広告システムが、広告情報および広告対象物購入情報入力画面を表示すると、ユーザである広告依頼者が、その画面で広告情報および広告対象物購入情報を入力する。その入力過程で、広告依頼者が広告情報を関連づける活動タイプを選択し登録すると、活動基準広告システムは、動タイプの活動タイプ情報を、入力された広告情報および広告対象物購入情報、および、予め記憶された広告依頼者情報と関連付けて記憶する。
【００１３】
次に図４の「活動の登録」機能の詳細について説明する。図６は「活動の登録」機能の動作の詳細を示したフローチャートである。本フローチャートは、請求項１に記載された、活動管理者に対して活動情報の入力を促す一方、前記活動タイプ情報に基づく活動タイプを表示して、活動に対応する活動タイプの選択を促す段階、選択された活動タイプの活動タイプ情報に関連づけられた前記広告情報および広告対象物購入情報を読み出す段階、読みだされた広告情報および広告対象物購入情報を、活動管理者に対して出力し、広告対象物の購入の選択を促す段階、購入の選択がされた広告対象物の広告情報、および、選択された活動タイプ情報を、入力された活動情報、および、予め記憶された活動管理者情報と関連付けて逐一記憶する段階、購入の選択がされた広告対象物の広告対象物購入情報を、前記活動管理者情報にあるメールアドレスに通知する段階に対応する動作を表す。始めに、活動基準広告システムが、活動情報入力画面を表示すると、ユーザである活動管理者が、その画面で活動情報を入力する。その入力過程で、活動管理者が活動情報に関連づける活動タイプを選択すると、活動基準広告システムは、活動タイプに関連づけられた広告情報および広告対象物購入情報を表示する。次に、活動管理者が、広告対象物の購入を選択すると、活動基準広告システムは、購入の選択がされた広告対象物の広告情報、および、選択された活動タイプ情報を、入力された活動情報、および、予め記憶された活動管理者情報と関連付けて逐一記憶するとともに、購入の選択がされた広告対象物の広告対象物購入情報を、前記活動管理者情報にあるメールアドレスに通知する。
【００１４】
最後に図４の「広告情報および広告対象物購入情報の確認」機能の詳細について説明する。図７は「広告情報および広告対象物購入情報の確認」機能の動作の詳細を示したフローチャートである。本フローチャートは、請求項１に記載された、活動管理者に対して前記活動管理者が登録した活動の活動情報に関連づけられた活動タイプ情報に関連づけられた広告情報および広告対象物購入情報を読み出す段階、読みだされた広告情報および広告対象物購入情報を、活動管理者に対して出力し、広告対象物の購入の選択を促す段階、購入の選択がされた広告対象物の広告対象物購入情報を、前記活動管理者情報にあるメールアドレスに通知する段階に対応する動作を表す。始めに、活動基準広告システムが、前記「広告情報および広告対象物購入情報の登録」機能で登録された活動情報に関連づけられた広告情報および広告対象物購入情報の表示し、それを受けた活動管理者が広告対象物の購入を選択すると、購入の選択がされた広告対象物の広告対象物購入情報を、前記活動管理者情報にあるメールアドレスに通知する。
【実施例】
【００１５】
次に、実施例について説明する。図８は、活動タイプと、それに関連する広告の例を示した図である。広告対象物としては、商品、インターネット上で動作する各種アプリケーションシステム（以降、アプリケーション）、研修コースなど宣伝できるものだけではなく、弁護士、会計士、技術者など各種専門家のアドバイスも対象となる。
【００１６】
まず、前記「広告情報および広告対象物購入情報の登録」機能の実施例を示す。例えば、生活に関連する「商品を買う」という活動タイプに、広告依頼者として商品販売者は様々な商品に関する広告情報を登録することができる。商品の広告情報を登録するとき、嗜好などの市場セグメンテーション基準情報と関連づけて登録すれば、前記「活動の登録」機能や、「広告情報および広告対象物購入情報の確認」機能で活動管理者が購入を選択することによって、活動管理者は自分がどのような嗜好なのかを認知することができる。また、ビジネスに関連する「商品を開発する」という活動タイプに、広告依頼者として専門家は、商品開発に関する様々なアドバイスを登録することができる。健康管理に関連する「健康をチェックする」という活動タイプに、広告依頼者として保健機関や医療機関は、健康管理サービスに関する広告を登録することができる。遊びに関連する「ゲームをする」という活動タイプに、広告依頼者としてゲーム開発販売者は、ゲームアプリケーションに関する広告を登録することができる。
【００１７】
次に、前記「活動の登録」機能の実施例を示す。「活動の登録」機能で、活動管理者が、広告対象物の購入を選択すると、活動基準広告システムは、購入の選択がされた広告対象物の広告情報、および、選択された活動タイプ情報を、入力された活動情報、および、予め記憶された活動管理者情報と関連付けて記憶するが、このとき、広告情報と活動情報が関連付けられる（データベースに格納されている各種情報の関連を示す図３参照）。広告情報には、広告対象物となる商品の名称や仕様、イメージだけでなく、その商品がアプリケーションなどのようにインターネット上から使用できるものの場合、アプリケーションを起動するための情報があるので、活動管理者が活動を実行するとき、そのアプリケーションを起動して使用することができる。
【００１８】
最後に、前記「広告情報および広告対象物購入情報の確認」機能の実施例を示す。活動管理者情報として性別、年齢、地域、嗜好などの属性情報を持つ場合、「広告情報および広告対象物購入情報の登録」機能で活動タイプだけでなく、属性情報も指定して広告情報を登録すると、「広告情報および広告対象物購入情報の確認」機能で活動管理者が広告対象物の購入を選択すると、広告依頼者は、活動管理者の活動タイプの傾向や属性別の購買度合を分析することができる。
【図面の簡単な説明】
【００１９】
【図１】図１は本実施形態の全体構成を示すブロック図である。
【図２】図２は同実施形態におけるサーバの構成を示すブロック図である。
【図３】図３はデータベースに格納されている各種情報の関連を示す図である。
【図４】図４は活動基準広告システムの機能を示した図である。
【図５】図５は「広告情報および広告対象物購入情報の登録」機能の動作の詳細を示した図である。
【図６】図６は「活動の登録」機能の動作の詳細を示した図である。
【図７】図７は「広告情報および広告対象物購入情報の確認」機能の動作の詳細を示した図である。
【図８】図８は活動タイプと、それに関連する広告の例を示した図である。
【符号の説明】
【００２０】
１０：サーバ
１１：基本制御手段
１２：出力制御手段
１３：入力制御手段
１４：メインプログラム
１５：データベース
１０１〜１０３：クライアント端末
【図１】
2017151628.tif 000003
【図２】
2017151628.tif 000004
【図３】
2017151628.tif 000005
【図４】
2017151628.tif 000006
【図５】
2017151628.tif 000007
【図６】
2017151628.tif 000008
【図７】
2017151628.tif 000009
【図８】
2017151628.tif 000010